Podtech/llm-jp-corpus-v4-ja_patent huggingface dataset:
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
患者の調製される前の歯の少なくとも一部での歯科修復を計画、可視化、および／または最適化する方法であって、該方法は、
該調製される前の歯の少なくとも一部の少なくとも１つの３Ｄデジタルモデルを提供するステップと、
該調製される前の歯の少なくとも一部の該３Ｄデジタルモデルに基づいて、少なくとも１つの歯科修復ＣＡＤモデルを設計するステップと、
調製された歯の少なくとも一部の少なくとも１つの３Ｄデジタルモデルを提供するステップであって、該調製された歯は、歯科修復作業によって該調製される前の歯を調製することによって提供される、ステップと、
該調製される前の歯の該３Ｄデジタルモデルと該調製された歯の該３Ｄデジタルモデルとを整列させるステップと、を含む、方法。
【請求項２】
少なくとも部分的に前記調製される前の歯の前記３Ｄデジタルモデルに基づいて、歯科調製ＣＡＤモデルを設計するステップをさらに含む、請求項１に記載の方法。
【請求項３】
前記歯科修復ＣＡＤモデルの設計を、前記調製された歯の前記３Ｄデジタルモデルに転送するステップをさらに含む、請求項１または２のうちのいずれかに記載の方法。
【請求項４】
前記歯の少なくとも一部が可視的であるか、および／または露出しており、顔面３Ｄスキャンが前記患者の顔面の少なくとも一部を光学的に走査することによって提供される、該患者の顔面３Ｄデジタルモデルを提供するステップと、
前記調製される前の歯の前記３Ｄモデルおよび／または前記歯科修復ＣＡＤモデルを、前記顔面３Ｄモデルの中の前記可視的な歯と少なくとも部分的に整列させるステップと、
前記顔面３Ｄモデルに基づいて前記歯科修復ＣＡＤモデルを少なくとも部分的に設計するステップと、を含む、請求項１〜３のうちのいずれか一項に記載の方法。
【請求項５】
前記歯を調製する前に、歯科医用の調製ガイドを提供するステップをさらに含み、該調製ガイドは、少なくとも部分的に前記歯科調製ＣＡＤモデルに基づく、請求項１〜４のうちのいずれか一項に記載の方法。
【請求項６】
歯科修復作業によって前記調製される前の歯を調製することは、少なくとも部分的に前記歯科修復ＣＡＤモデルに基づく、請求項１〜５のうちのいずれか一項に記載の方法。
【請求項７】
前記歯科修復ＣＡＤモデルの設計を転送するステップは、前記歯科調製ＣＡＤモデルを、前記調製された歯の前記３Ｄモデルと整列させるステップを含む、請求項１〜６のうちのいずれか一項に記載の方法。
【請求項８】
前記歯科修復ＣＡＤモデルの設計を転送するステップは、該歯科修復ＣＡＤモデルの一部を前記調製された歯の前記３Ｄモデルにモーフィングするステップを含み、モーフィングは、前記調製された歯の前記歯科修復ＣＡＤモデルおよび／または前記３Ｄモデルの前記辺縁線付近に適用される、請求項１〜７のうちのいずれか一項に記載の方法。
【請求項９】
モーフィングの影響は、前記調製された歯の前記歯科修復ＣＡＤモデルおよび／または前記３Ｄモデルの前記辺縁線近傍で最も高く、該辺縁線までの距離を増加させると、該モーフィングの影響が減少する、請求項１〜８のうちのいずれか一項に記載の方法。
【請求項１０】
前記歯科修復ＣＡＤモデルの設計を転送するステップは、前記調製された歯の前記３Ｄモデルのオフセットとして該歯科修復ＣＡＤモデルの内面を作成するステップを含み、該オフセットは、咬合／切歯方向に該調製された歯の該３Ｄモデルの前記辺縁線から始まる、請求項１〜９のうちのいずれか一項に記載の方法。
【請求項１１】
前記歯科修復ＣＡＤモデルの外面の大部分は、前記調製された歯の前記３Ｄモデルに転送されると維持され、該歯科修復ＣＡＤモデルの前記内面の輪郭は、該調製された歯の該３Ｄモデルの外面と実質的に同様であり、該調製された歯の該歯科修復ＣＡＤモデルおよび該３Ｄモデルの辺縁線領域は、ともにモーフィングされる、請求項１〜１０のうちのいずれか一項に記載の方法。
【請求項１２】
前記歯科修復ＣＡＤモデルの設計を転送するステップは、前記調製された歯の前記３Ｄモデルを用いて該歯科修復ＣＡＤモデルをモーフィングし、それにより、該調製された歯の該３Ｄモデルへの前記歯科調製ＣＡＤモデルの変換を提供し、後に、この変換を該歯科修復ＣＡＤモデルに適用するステップを含む、請求項１〜１１のうちのいずれか一項に記載の方法。
【請求項１３】
前記歯科修復ＣＡＤモデルを前記調製された歯の前記３Ｄモデルに転送するステップの後に、該歯科修復ＣＡＤモデルの設計を修正するステップをさらに含む、請求項１〜１２のうちのいずれか一項に記載の方法。
【請求項１４】
前記３Ｄ顔面モデルから前記歯の少なくとも一部を切断および／または除去するステップをさらに含む、請求項１〜１３のうちのいずれか一項に記載の方法。
【請求項１５】
前記歯科修復ＣＡＤモデルは、前記調製される前の歯の前記３Ｄデジタルモデルに沿って、および／または前記調製される前の歯の前記３Ｄデジタルモデルの上で、並んで可視化される、請求項１〜１４のうちのいずれか一項に記載の方法。
【請求項１６】
前記顔面モデルにおいて整列させられた前記歯科修復ＣＡＤモデルを可視化するステップをさらに含む、請求項１〜１５のうちのいずれか一項に記載の方法。
【請求項１７】
前記調製される前の歯の前記３Ｄモデルにおいて、および／または前記調製された歯の前記３Ｄモデルにおいて、および／または前記３Ｄ顔面モデルにおいて、歯および歯肉等の組織を少なくとも部分的に分割するステップをさらに含む、請求項１〜１６のうちのいずれか一項に記載の方法。
【請求項１８】
歯科修復は、１つ以上のインレイ、オンレイ、ベニア、歯冠、ブリッジ、またはそれらの組み合わせとなり得るか、および／または歯科修復は、取外し可能な部分義歯骨格および／またはインプラント保持構造となり得る、請求項１〜１７のうちのいずれか一項に記載の方法。
【手続補正書】
【提出日】平成25年2月13日(2013.2.13)
【手続補正１】
【補正対象書類名】特許請求の範囲
【補正対象項目名】請求項２７
【補正方法】変更
【補正の内容】
【請求項２７】
コンピュータプログラムであって、
複数のＥＥＧ信号サンプルを記録するための機能と、
前記複数のＥＥＧ信号サンプルを用いて、刺激同期平均信号を生成するための機能と、
前記複数のＥＥＧ信号サンプルが刺激に反応して誘発されたか否かを判定するための機能と、
をコンピュータによって実現させる、コンピュータプログラム。
【手続補正２】
【補正対象書類名】明細書
【補正対象項目名】００３７
【補正方法】変更
【補正の内容】
【００３７】
上述の実施形態は、理解しやすいように或る程度詳細に説明されているが、本発明は、これらの詳細事項に限定されない。本発明を実施する多くの代替的な方法が存在する。開示されている実施形態は、例示的なものであり、限定を意図するものではない。
適用例１：システムであって、プロセッサであって、複数のＥＥＧ信号サンプルの刺激同期平均信号を生成し、前記複数のＥＥＧ信号サンプルが刺激事象のパターンに反応して誘発されたか否かを判定するよう構成された、プロセッサと、前記プロセッサに接続され、前記プロセッサに命令を供給するよう構成されたメモリと、を備える、システム。
適用例２：適用例１に記載のシステムであって、前記刺激事象のパターンは、一定周波数で周期的に光フラッシュを発する複数の光源を含む、システム。
適用例３：適用例１に記載のシステムであって、前記刺激事象のパターンは、周期的に光フラッシュを発する複数の光源を含み、前記複数の光源は、第１の一定周波数で光フラッシュを発する第１の光源と、第２の一定周波数で光フラッシュを発する第２の光源とを含む、システム。
適用例４：適用例１に記載のシステムであって、前記刺激事象のパターンは、複数の周波数で周期的に光フラッシュを発する光源を含み、前記光フラッシュは、第１の周波数の第１の光フラッシュと、第２の周波数の第２の光フラッシュとを含む、システム。
適用例５：適用例１に記載のシステムであって、前記刺激事象のパターンは、非周期的な周波数で光フラッシュを発する複数の光源を含む、システム。
適用例６：適用例１に記載のシステムであって、前記刺激事象のパターンは、視覚刺激事象のパターン、音声刺激事象のパターン、および、触覚刺激事象のパターンの内の１または複数を含む、システム。
適用例７：適用例１に記載のシステムであって、前記刺激事象のパターンは、それぞれ独立したフラッシュ光事象を提供する複数の光源を含む、システム。
適用例８：適用例１に記載のシステムであって、前記複数のＥＥＧ信号サンプルは、前記システムのユーザの無意識の反応として誘発される、システム。
適用例９：適用例１に記載のシステムであって、前記複数のＥＥＧ信号サンプルは、意識的なＥＥＧ信号応答を含む、システム。
適用例１０：適用例１に記載のシステムであって、前記複数のＥＥＧ信号サンプルの各々は、複数のサンプル点を含む、システム。
適用例１１：適用例１に記載のシステムであって、前記複数のＥＥＧ信号サンプルの各々は、時系列のＥＥＧ信号サンプルを含む、システム。
適用例１２：適用例１に記載のシステムであって、前記刺激同期平均信号は、フラッシュ同期平均信号を含む、システム。
適用例１３：適用例１に記載のシステムであって、前記複数のＥＥＧ信号サンプルが刺激事象のパターンに反応して誘発されたか否かの判定は、前記刺激同期平均を閾値と比較することによって実行される、システム。
適用例１４：適用例１に記載のシステムであって、前記複数のＥＥＧ信号サンプルが刺激事象のパターンに反応して誘発されたか否かの判定は、事前に作成した原型平均を前記刺激同期平均に乗算することによって実行される、システム。
適用例１５：適用例１に記載のシステムであって、前記複数のＥＥＧ信号サンプルが刺激事象のパターンに反応して誘発されたか否かの判定は、前記ユーザのＥＥＧ信号に適合する原型平均を前記刺激同期平均に乗算することによって実行される、システム。
適用例１６：適用例１に記載のシステムであって、前記複数のＥＥＧ信号サンプルが刺激事象のパターンに反応して誘発されたか否かの判定は、前記ＥＥＧ信号データを積分して結果を生成し、前記結果を閾値と比較することによって実行される、システム。
適用例１７：適用例１に記載のシステムであって、前記複数のＥＥＧ信号サンプルが刺激事象のパターンに反応して誘発されたか否かの判定は、タイムドメイン分類子を用いて実行される、システム。
適用例１８：適用例１に記載のシステムであって、前記複数のＥＥＧ信号サンプルが刺激事象のパターンに反応して誘発されたか否かの判定は、リアルタイムで実行される、システム。
適用例１９：適用例１に記載のシステムであって、前記プロセッサは、さらに、前記システムのユーザが第１の光源を見ているか否かを判定するよう構成される、システム。
適用例２０：適用例１に記載のシステムであって、前記プロセッサは、さらに、前記刺激同期平均信号の（最大値）−（最小値）に基づいて決定される前記刺激同期平均信号の第１のピーク値を算出し、前記第１のピーク値を閾値と比較するよう構成される、システム。
適用例２１：適用例１に記載のシステムであって、前記プロセッサは、さらに、刺激タイミングに基づく時間オフセットを用いて前記複数のＥＥＧ信号サンプルを前記刺激事象のパターンと相関させるよう構成される、システム。
適用例２２：適用例１に記載のシステムであって、前記プロセッサは、さらに、第１のユーザについて前記複数のＥＥＧ信号サンプルを前記刺激事象のパターンと相関させる際に役立つように、前記第１のユーザに基づいてトレーニングを行い、第１のシグネチャ信号を決定するよう構成される、システム。
適用例２３：適用例１に記載のシステムは、さらに、アクティブＥＥＧ電極および基準ＥＥＧ電極を含む複数の電極を備え、前記複数の電極は、前記複数のＥＥＧ信号サンプルを検出する、システム。
適用例２４：適用例１に記載のシステムであって、前記プロセッサは、さらに、前記複数のＥＥＧ信号サンプルが刺激事象のパターンに反応して誘発されたか否かの判定に基づいて、制御信号を供給するよう構成されている、システム。
適用例２５：適用例１に記載のシステムであって、前記プロセッサは、さらに、前記複数のＥＥＧ信号サンプルが刺激事象のパターンに反応して誘発されたか否かの判定に基づいて、制御信号をデバイスに供給するよう構成され、前記デバイスは、娯楽システム、教育システム、医療システム、自動車システム、および、アプリケーションを実行するコンピュータの内の１または複数を含む、システム。
適用例２６：方法であって、生体信号センサを用いて複数のＥＥＧ信号サンプルを測定し、前記複数のＥＥＧ信号サンプルを用いて、刺激同期平均信号を生成し、前記複数のＥＥＧ信号サンプルが刺激に反応して誘発されたか否かを判定すること、を備える、方法。
適用例２７：コンピュータ読み取り可能な記憶媒体内に埋め込まれたコンピュータプログラム製品であって、複数のＥＥＧ信号サンプルを記録するためのコンピュータ命令と、前記複数のＥＥＧ信号サンプルを用いて、刺激同期平均信号を生成するためのコンピュータ命令と、前記複数のＥＥＧ信号サンプルが刺激に反応して誘発されたか否かを判定するためのコンピュータ命令と、を備える、コンピュータプログラム製品。
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
特に自動車用の安全ベルト装置であって、
自動車本体に連結されるハウジング内に回転可能に取り付けられ、かつ、安全ベルト（１６）の一端を保持する巻回軸（１２）を備え、前記巻回軸（１２）は、前記安全ベルト（１６）が該巻回軸（１２）に巻回される巻回位置へと予応力が付与され、前記安全ベルト（１６）は、巻回軸の回転の結果、予応力に逆らって前記巻回軸（１２）から繰り出し可能であり、前記安全ベルト（１６）は、前記巻回軸（１２）に保持された端部から、出口開口（３２）を通過して前記巻回軸（１２）の外に突出する、安全ベルト装置において、
前記安全ベルト（１６）が、前記巻回軸（１２）から完全に繰り出された状態において、該巻回軸（１２）に保持される端部と該巻回軸（１２）の前記出口開口（３２）との間で少なくとも一つの表面（３０）をシートの様に覆って延在するようにした安全ベルト装置。
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
タイヤ（１０）であって、前記タイヤは、転動面を備えたトレッド（４０）と、前記トレッドに形成された少なくとも１つの凹部（９０）とを有し、前記凹部は、前記転動面上に開口し、前記凹部は、底壁（９１）及びただ１つの側壁（９２）によって画定され、前記タイヤは、黒色以外の色の少なくとも一部分を備えた少なくとも１つのアップリケ（１００；１００１，１００２）を更に有し、前記アップリケは、前記アップリケの黒色以外の色の前記部分が前記トレッドの外側に位置すると共に前記アップリケに向いた視点から見えるように前記凹部内に挿入されると共に接着剤（１１０）によって前記底壁又は前記側壁の少なくとも一部分に固定されており、前記凹部の前記側壁は、閉鎖表面又は疑似閉鎖表面であるタイヤ。
【請求項２】
前記アップリケは、前記底壁の少なくとも一部分に固定されている、請求項１記載のタイヤ。
【請求項３】
前記アップリケは、前記底壁の表面の少なくとも８０％を覆っている、請求項１又は２記載のタイヤ。
【請求項４】
前記アップリケ（１００）の半径方向最も外側の箇所は、前記トレッド（４０）の前記転動面の半径方向内側に位置している、請求項１〜３のうちいずれか一に記載のタイヤ。
【請求項５】
前記凹部の前記側壁は、閉鎖表面であり、少なくとも１つのサイプが前記凹部内に開口している、請求項４記載のタイヤ。
【請求項６】
転動面を備えたトレッド（４０）を有するタイヤ（１０）の装飾方法であって、次のステップ、即ち、
（Ａ）前記トレッドに設けられた凹部（９０）を用意するステップを有し、前記凹部は、前記転動面上に開口しており、前記凹部は、底壁（９１）及びただ１つの側壁（９２）によって画定され、前記凹部の前記側壁は、閉鎖表面又は疑似閉鎖表面であり、
（Ｂ）黒色以外の色の少なくとも一部分を備えたアップリケ（１００；１００１〜１００２）を前記凹部内に貼り付けるステップを有し、
（Ｃ）前記アップリケの黒色以外の色の前記部分が前記トレッドの外部に位置すると共に前記アップリケに向いた視点から見えるように前記アップリケを接着剤（１１０）によって前記凹部の前記底壁又は前記側壁の少なくとも一部分に固定するステップを有する、方法。
【請求項７】
請求項６記載の方法に従ってタイヤを装飾するキットであって、前記キットは、黒色以外の色の少なくとも一部分を備えた少なくとも１つのアップリケ（１００）を含み、前記アップリケは、前記タイヤトレッドに設けられた凹部（９０）内に挿入されるよう設計されており、前記凹部は、前記転動面上に開口し、前記凹部は、底壁及び側壁によって画定され、前記キットは、前記アップリケを前記凹部の前記底壁又は前記側壁の少なくとも一部分に固定するのに適した接着剤（１１０）を更に含む、キット。
【請求項８】
少なくとも請求項６記載の方法の前記ステップ（Ｂ）及びステップ（Ｃ）に関する１組の説明書を更に含む、請求項７記載のキット。
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
タイヤ（１０）であって、前記タイヤは、転動面を備えたトレッド（４０）と、前記トレッドに形成された少なくとも１つの凹部（９０）とを有し、前記凹部は、前記転動面上に開口し、前記凹部は、底壁及びただ１つの側壁によって画定され、前記タイヤは、少なくとも１つのアップリケ（１００；１００１，１００２）を更に有し、前記アップリケは、前記凹部内に挿入されると共に接着剤（１１０）によって前記凹部の前記底壁又は前記側壁の少なくとも一部分に固定されており、前記凹部の前記側壁は、閉鎖表面又は疑似閉鎖表面であるタイヤ。
【請求項２】
前記アップリケは、前記底壁の少なくとも一部分に固定されている、請求項１記載のタイヤ。
【請求項３】
前記アップリケは、前記底壁の表面の少なくとも８０％を覆っている、請求項１又は２記載のタイヤ。
【請求項４】
前記アップリケ（１００）の半径方向最も外側の箇所は、前記トレッド（４０）の前記転動面の半径方向内側に位置している、請求項１〜３のうちいずれか一に記載のタイヤ。
【請求項５】
前記凹部の前記側壁は、閉鎖表面である、請求項１〜４のうちいずれか一に記載のタイヤ。
【請求項６】
前記アップリケ（１００；１００１，１００２）は、黒色以外の色の少なくとも一部分を備え、該部分は、前記トレッド（４０）の外側に位置すると共に前記アップリケに向いた視点から見える、請求項１〜５のうちいずれか一に記載のタイヤ。
【請求項７】
タイヤ（１０）が外部からの攻撃に対して耐性を持つようにする方法であって、前記タイヤは、転動面及び前記転動面上に開口した少なくとも１つの凹部（９０）を備えたトレッド（４０）を有し、前記凹部は、底壁及びただ１つの側壁によって画定され、前記凹部の前記側壁は、閉鎖表面又は疑似閉鎖表面であり、前記方法は、
（Ａ）アップリケ（１００；１００１，１００２）を前記凹部内に挿入するステップと、
（Ｂ）前記アップリケを接着剤（１１０）によって前記凹部の前記底壁又は前記側壁の少なくとも一部分に固定するステップとを有する、方法。
【請求項８】
請求項７記載の方法に従ってタイヤが外部からの攻撃に対して耐性を持つようにするキットであって、前記キットは、前記タイヤトレッド（４０）に設けられた凹部（９０）内に挿入されるよう設計された少なくとも１つのアップリケ（１００；１００１，１００２）を含み、前記凹部は、底壁及び側壁によって画定され、前記キットは、前記アップリケを前記凹部の前記底壁又は前記側壁の少なくとも一部分に固定する適当な接着剤（１１０）を更に含む、キット。
【請求項９】
前記キットは、請求項７記載の方法の前記ステップ（Ａ）及びステップ（Ｂ）に関する１組の説明書を更に含む、請求項８記載のキット。
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
航空機における使用に適した物品を作製する方法であって、前記物品は、コポリマーベースのポリイミド組成物を含み、前記組成物は、
ａ）芳香族テトラカルボン酸二無水物成分と、
ｂ）（ｉ）６０モル％超〜約８５モル％のｐ−フェニレンジアミンおよび
（ｉｉ）１５モル％〜４０モル％未満のｍ−フェニレンジアミン
をさらに含むジアミン成分と
を含み、ａ）およびｂ）は１：１の比で存在し、前記方法は、圧縮を用いて所定の形状の部品を形成する工程を包含し、透湿性、および熱曝露により引き起こされる欠陥に対する耐性を有する多孔性物品を実現するために圧縮において使用される圧力量は、約２０，０００ｐｓｉ〜約５０，０００ｐｓｉである、方法。
【請求項２】
請求項１に記載の方法によって作製された物品。
【請求項３】
航空機で使用するために製造された製品であって、前記物品はコポリマーベースのポリイミド組成物を含み、前記組成物は、
ａ）芳香族テトラカルボン酸二無水物成分と、
ｂ）ｉ）６０モル％超〜約８５モル％のｐ−フェニレンジアミンおよび
ｉｉ）１５モル％〜４０モル％未満のｍ−フェニレンジアミン
をさらに含むジアミン成分と
を含み、ａ）およびｂ）は１：１の比で存在し、前記物品は多孔性であり、透湿性、および熱曝露により引き起こされる欠陥に対する耐性を有する、製品。
【手続補正２】
【補正対象書類名】明細書
【補正対象項目名】００６６
【補正方法】変更
【補正の内容】
【００６６】
「実施例２：比較分析」において、「従来のポリイミド」と表示した縦列中の結果は、６０重量％の従来のポリイミドおよび４０重量％のグラファイトからなる試料を用いて得た。「従来の炭素黒鉛」の結果は、ポリイミドなしでグラファイトを用いて得た。「本発明のコポリマーベースのポリイミド」の結果は、５０重量％の本明細書に開示されるポリイミド組成物および５０重量％のグラファイトからなる試料を用いて得た。
なお、本発明は、特許請求の範囲を含め、以下の発明を包含する。
１．航空機における使用に適した物品を作製する方法であって、前記物品は、コポリマーベースのポリイミド組成物を含み、前記組成物は、
ａ）芳香族テトラカルボン酸二無水物成分と、
ｂ）（ｉ）６０モル％超〜約８５モル％のｐ−フェニレンジアミンおよび
（ｉｉ）１５モル％〜４０モル％未満のｍ−フェニレンジアミン
をさらに含むジアミン成分と
を含み、ａ）およびｂ）は１：１の比で存在し、前記方法は、圧縮を用いて所定の形状の部品を形成する工程を包含し、透湿性、および熱曝露により引き起こされる欠陥に対する耐性を有する多孔性物品を実現するために圧縮において使用される圧力量は、約２０，０００ｐｓｉ〜約５０，０００ｐｓｉである、方法。
２．前記圧縮圧力が、約３５，０００ｐｓｉ〜約４５，０００ｐｓｉである、１に記載の方法。
３．前記圧縮圧力が、約４０，０００ｐｓｉである、１に記載の方法。
４．前記物品が、前記物品の表面積と比較してより大きい断面積を有し、前記物品は、前記物品の断面領域に存在する水分およびガスを前記物品の表面領域を通して放出し得る、１に記載の方法。
５．前記ポリイミド組成物は、少なくとも１つの充填剤または添加剤を含む、１に記載の方法。
６．前記充填剤が、炭質充填剤であり、前記炭質充填剤は、天然グラファイト、合成グラファイト、および炭素繊維からなる群より選択される、５に記載の方法。
７．前記充填剤がフルオロポリマーであり、前記フルオロポリマーは、ポリテトラフルオロエチレンからなる群より選択される、６に記載の方法。
８．前記充填剤が、カオリナイト、セピオライト、およびそれらの混合物からなる群より選択される、５に記載の方法。
９．１に記載の方法によって作製された物品。
１０．前記物品が、航空機部品である、９に記載の物品。
１１．前記物品が、内燃機関における構成部品である、１０に記載の物品。
１２．前記物品が、シール、ワッシャー、軸受、ブッシュ、ガスケット、摩耗パッド、シールリング、摩耗パッドおよびスライドブロックからなる群より選択される、９に記載の物品。
１３．前記物品が、航空機サブシステムにおける構成部品であり、前記サブシステムは、逆スラスト装置、ナセル、およびフラップシステムからなる群より選択される、１０に記載の物品。
１４．航空機で使用するために製造された製品であって、前記物品はコポリマーベースのポリイミド組成物を含み、前記組成物は、
ａ）芳香族テトラカルボン酸二無水物成分と、
ｂ）ｉ）６０モル％超〜約８５モル％のｐ−フェニレンジアミンおよび
ｉｉ）１５モル％〜４０モル％未満のｍ−フェニレンジアミン
をさらに含むジアミン成分と
を含み、ａ）およびｂ）は１：１の比で存在し、前記物品は多孔性であり、透湿性、および熱曝露により引き起こされる欠陥に対する耐性を有する、製品。
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
生来の心弁に、前記生来の心弁を切除せずに配置するための人工弁であって、前記人工弁が、
生来の心弁の尖頭の上で、生来の心弁環の近くに配置されるように構成され、かつフレームが生来の心弁環の下流に移動することを防止するように造形された、人工弁を固定するためのフレーム、及び
フレームに取り付けられかつフレームから延びるスカート、但し、前記スカートが生来の心弁環を通して配置されるように構成され、前記スカートが、生来の心弁尖頭の開閉と共働してスカートを通して血流を可能にする開放形状と、スカートを通る血流を遮断する閉鎖形状との間で動くことができる、
を含み、さらに、
心弁の接合部に位置され、生来の尖頭の動きを妨げずに接合部を通って延び、接合部固定延長部が環の下流側から環の上流側まで戻って移動するのを防止する少なくとも２つの接合部固定延長部
を含むことを特徴とする人工弁。
【請求項２】
人工弁を固定するためにスカートおよびフックに沿って下方に延びるように構成されたフレームへの少なくとも１つの延長部をさらに含むことを特徴とする請求項１に記載の人工弁。
【請求項３】
スカートが生来の弁に似た曲がった線を忠実に形成するように構成されることを特徴とする請求項１に記載の人工弁。
【請求項４】
接合部固定延長部が心室壁中に引っ掛けるためのフックを含むことを特徴とする請求項１〜３のいずれかに記載の人工弁。
【請求項５】
スカートが、生来の僧帽心弁の閉鎖領域に似た閉鎖領域を形成するために閉鎖する二つのスカート部を含むことを特徴とする請求項１〜４のいずれかに記載の人工弁。
【請求項６】
フレームがＤ形状の構成を有することを特徴とする請求項１〜５のいずれかに記載の人工弁。
【請求項７】
フレームに取り付けられた少なくとも２つの支持体延長部をさらに含み、それらの延長部が、スカートを通って延び、スカートが環の下流側から環の上流側まで戻って収縮することを防止することを特徴とする請求項１〜６のいずれかに記載の人工弁。
【請求項８】
前記支持体延長部がアイレットを含み、人工弁が前記アイレットを通過するための送出ケーブルをさらに含むことを特徴とする請求項７に記載の人工弁。
【請求項９】
前記送出ケーブルが人工弁の設置後に除去可能であることを特徴とする請求項８に記載の人工弁。
【請求項１０】
前記支持体延長部を前記スカートに連結するためのケーブルをさらに含むことを特徴とする請求項７に記載の人工弁。
【請求項１１】
前記フレームが、半径方向に膨張するステントを含み、前記半径方向に膨張するステントが、自己膨張可能またはバルーン膨張可能なステントを含み、かつ固定のために環の上の組織に対して押圧されることを特徴とする請求項１〜１０のいずれかに記載の人工弁。
【請求項１２】
前記支持体延長部が、スカートの脱出を防ぐように対向側でスカートに沿って通過することを特徴とする請求項７〜１１のいずれかに記載の人工弁。
【請求項１３】
前記スカートまたは前記フレームが正しい方向の血流の不存在で閉じられるように予め造形されていることを特徴とする請求項１〜１２のいずれかに記載の人工弁。
【請求項１４】
前記スカートまたは前記フレームが通常開放されるように予め造形されていることを特徴とする請求項１〜１３のいずれかに記載の人工弁。
【請求項１５】
前記支持体延長部が、内向きに曲がっており、かつ閉じた前記スカートを保持するように前記スカートの先端で先細りになっていることを特徴とする請求項７〜１４のいずれかに記載の人工弁。
【手続補正書】
【提出日】平成25年3月6日(2013.3.6)
【手続補正１】
【補正対象書類名】明細書
【補正対象項目名】００８８
【補正方法】変更
【補正の内容】
【００８８】
以下、実施例を参照して本発明をより詳細に説明するが、これら実施例は本発明を制限するものではない。
本発明の好ましい態様は、以下を包含する。
〔１〕ウラン化合物からなる少なくとも１種の触媒活性成分および酸化アルミニウムからなる担体物質を含んでなり、二峰性細孔径分布を示すことを特徴とする、塩化水素の塩素への不均一触媒酸化のための触媒。
〔２〕ウラン化合物が、ＵＯ２．１〜ＵＯ２．９の化学量論的組成を有する酸化ウランであることを特徴とする、上記〔１〕に記載の触媒。
〔３〕ウラン化合物が、少なくとも１種のアルカリ金属および／またはアルカリ土類金属とのウラン酸塩であることを特徴とする、上記〔１〕または〔２〕に記載の触媒。
〔４〕二峰性細孔径分布が、１〜２０ｎｍのより小さい細孔径の第一範囲および１００〜５０００ｎｍのより大きい細孔径の第二範囲を有することを特徴とする、上記〔１〕〜〔３〕のいずれかに記載の触媒。
〔５〕二峰性細孔径分布が、４０％〜６０％のより小さい細孔径範囲における細孔容積の割合、および６０％〜４０％のより大きい細孔径範囲における細孔容積の割合を有し、これら割合の和が１００％以下であることを特徴とする、上記〔１〕〜〔４〕のいずれかに記載の触媒。
〔６〕触媒全体におけるウラン化合物の割合が１〜４０重量％の範囲であることを特徴とする、上記〔１〕〜〔５〕のいずれかに記載の触媒。
〔７〕少なくとも下記工程：
ａ）溶媒中にウラン塩を含んでなる溶液Ａを供給する工程、
ｂ）溶液Ａで酸化アルミニウム粒子を被覆して被覆粒子Ｂを得る工程、
ｃ）被覆粒子Ｂを乾燥する工程、および
ｄ）任意に、工程ｂ）およびｃ）のいずれかから得た被覆粒子Ｂから成形体を成形する工程
を含むことを特徴とする、塩化水素の塩素への不均一触媒酸化のための触媒の製造方法。
〔８〕ウラン塩が、酢酸ウラニルＵＯ２Ａｃ２、酢酸ウラニル二水和物ＵＯ２Ａｃ２・２Ｈ２Ｏ、硝酸ウラニルＵＯ２（ＮＯ３）２、硝酸ウラニル六水和物ＵＯ２（ＮＯ３）２・６Ｈ２Ｏからなる群から選択されることを特徴とする、上記〔７〕に記載の方法。
〔９〕工程ｄ）に従って成形を実施することを特徴とする上記〔７〕または〔８〕に記載の方法であって、工程ｃ）からの粒子Ｂをバインダーの添加および続く乾燥によって成形体に成形し、乾燥工程中に粒子Ｂを所望の成形体の雌型にプレスする方法。
〔１０〕工程ｂ）からの被覆粒子Ｂを、大気圧より高い圧力の下での乾燥工程に送ることを特徴とする、上記〔７〕または〔８〕に記載の方法であって、この圧力が、雌型を満たしている粒子Ｂの周りにある所望の成形体の雌型を加圧することによって得られる方法。
〔１１〕乾燥を５００℃〜１５００℃の温度で行うことを特徴とする、上記〔７〕〜〔１０〕のいずれかに記載の方法。
〔１２〕乾燥を複数の段階で行うことを特徴とする、上記〔７〕〜〔１０〕のいずれかに記載の方法であって、第一段階が室温〜２５０℃での予備乾燥を含み、第二段階が５００℃〜１５００℃での更なる乾燥を含む方法。
〔１３〕ウラン化合物からなる少なくとも１種の触媒活性成分および酸化アルミニウムからなる担体物質を含んでなり、二峰性細孔径分布を示す触媒の存在下、反応領域において、酸素で塩化水素を塩素に酸化することを特徴とする、塩素の製造方法。
〔１４〕上記〔１〕〜〔６〕のいずれかに記載の触媒の、塩化水素を塩素に酸化するための触媒としての使用。
【手続補正２】
【補正対象書類名】特許請求の範囲
【補正対象項目名】全文
【補正方法】変更
【補正の内容】
【特許請求の範囲】
【請求項１】
ウラン化合物からなる少なくとも１種の触媒活性成分および酸化アルミニウムからなる担体物質を含んでなり、二峰性細孔径分布を示すことを特徴とする、塩化水素の塩素への不均一触媒酸化のための触媒。
【請求項２】
二峰性細孔径分布が、１〜２０ｎｍのより小さい細孔径の第一範囲および１００〜５０００ｎｍのより大きい細孔径の第二範囲を有することを特徴とする、請求項１に記載の触媒。
【請求項３】
二峰性細孔径分布が、４０％〜６０％のより小さい細孔径範囲における細孔容積の割合、および６０％〜４０％のより大きい細孔径範囲における細孔容積の割合を有し、これら割合の和が１００％以下であることを特徴とする、請求項１または２に記載の触媒。
【請求項４】
ウラン化合物からなる少なくとも１種の触媒活性成分および酸化アルミニウムからなる担体物質を含んでなり、二峰性細孔径分布を示す触媒の存在下、反応領域において、酸素で塩化水素を塩素に酸化することを特徴とする、塩素の製造方法。
【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
成形工具、特にかしめ工具であって、基部本体（１２’）を有し、その基部本体に少なくとも１つの成形要素（２１）を備え、その成形要素（２１）は成形工具（１２）の中心軸（Ｍ）に対して第１傾斜角（α１）で傾斜し、それによって、成形要素（２１）の取り込み傾斜（Ｓ）を決定し、以下のことを特徴とする：
成形要素（２１）の表面（２１’）に、凹んだ表面構造（２２）が、第１傾斜角（α１）で傾斜して形成され、その表面構造は少なくとも１つの下降傾斜（２３ａ）を持つ凹部（２３）を有し、
この凹部（２３）の下降面（２３ａ）は、第１傾斜角（α１）によって定義された成形要素（２１）の取り込み傾斜（Ｓ）との関係において、第２傾斜角（α２）を有し、その第２傾斜角は、前記第１の傾斜角（α１）に対して反対方向に配向され、その絶対値は前記第１傾斜角（α１）の絶対値と等しいか、大きい。
【請求項２】
前記表面構造（２２）が波状に形成されていることを特徴とする請求項１の成形工具。
【請求項３】
少なくとも１つの凹部（２３）が鋸歯状に形成されていることを特徴とする請求項１の成形工具。
【請求項４】
前記成形工具（１２）の少なくとも１つの成形要素（２１）の表面構造（２２）の、少なくとも２つの凹部（２３）が、互いに実質的に平行に配置されてなることを特徴とする請求項１〜３の何れか１項の成形工具。
【請求項５】
前記成形工具（１２）の少なくとも１つの成形要素（２１）の表面構造（２２）の、少なくとも１つの凹部（２３）が、成形工具（１２）の長手方向に実質的に直角に設けられたことを特徴とする請求項１〜４の何れか１項の成形工具。
【請求項６】
前記成形工具（１２）の少なくとも１つの成形要素（２１）の表面構造（２２）の、少なくとも１つの凹部（２３）が、ワークピースの供給方向（Ｖ）に直角に実質的に直線的に走行していることを特徴とする請求項１〜５の何れか１項の成形工具。
【請求項７】
前記成形工具（１２）の少なくとも１つの成形要素（２１）の表面構造（２２）の、少なくとも１つの凹部（２３）が、曲線状または波状に形成されていることを特徴とする請求項１〜６の何れか１項の成形工具。
【請求項８】
前記成形工具（１２）の少なくとも１つの成形要素（２１）の表面構造（２２）の、少なくとも１つの凹部（２３）が、成形工具（１２）の長手方向に傾斜して配置されていることを特徴とする請求項１〜７の何れか１項の成形工具。
【請求項９】
ワークピースを放射状に成形するための成形用工具（１２）を有する成形工具、特にかしめ機であって、請求項１〜８の何れか１項の成形工具（１２）によることを特徴とする。
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
少なくとも１つのエネルギー貯蔵エレメント、作動エレメント、及びプレストレス導入が増大すると共にプレストレスが加えられ、そして作動エレメントに十分な作動力（Ｆａ、Ｕ）を及ぼすときに、トリガーエレメントが、少なくとも１つのエネルギー貯蔵デバイスに貯蔵されたエネルギーの漸増的なカスケード式放出を引き起こすように、少なくとも１つのエネルギー貯蔵エレメントに連結した、一連のカスケード式トリガーエレメントを含む、薬物送達デバイスのためのトリガー機構であって、少なくとも２つのトリガーエレメントを直接にそして解放可能なように連結するラッチエレメントを備えていることを特徴とする、上記トリガー機構。
【請求項２】
ラッチエレメントが、作動力（Ｆａ、Ｕ）が及ぼされる前は、少なくとも１つのトリガーエレメントを、それのプレストレスが加わった状態に拘止することを特徴とする、
請求項１に記載のトリガー機構。
【請求項３】
少なくとも１つのトリガーエレメントが、枢動レバー（１２、１３、２２）であることを特徴とする、請求項１又は２に記載のトリガー機構。
【請求項４】
少なくとも１つのラッチエレメントが、枢動レバー（１２、１３、２２）のピボット（１１１、１２１、１３１）に位置する突起であることを特徴とする、請求項３に記載のトリガー機構。
【請求項５】
突起が、リング・セグメント（１１２、１２２、１３３、２１２）として設計されることを特徴とする、請求項４に記載のトリガー機構。
【請求項６】
全ての枢動レバー（１２、１３、２２）のピボット（１１１、１２１、１３１）が、同一の平面内に位置していることを特徴とする、請求項３〜５のいずれか１項に記載のトリガー機構。
【請求項７】
少なくとも１つのラッチエレメントが、トリガーエレメントの表面にあるノッチである
ことを特徴とする、請求項１〜６のいずれか１項に記載のトリガー機構。
【請求項８】
少なくとも１つのエネルギー貯蔵エレメントがバネ（１４、１５、２５、２６）であることを特徴とする、請求項１〜７のいずれか１項に記載のトリガー機構。
【請求項９】
トリガーエレメントが、エネルギー貯蔵エレメントに一対一に対応し、各々のトリガーエレメントが対応するエネルギー貯蔵エレメントに連結されることを特徴とする、請求項１〜８のいずれか１項に記載のトリガー機構。
【請求項１０】
作動エレメントが、トリガーエレメントの１つにそれを直接連結するラッチエレメントを備えていることを特徴とする、請求項１〜９のいずれか１項に記載のトリガー機構。
【請求項１１】
貯蔵されたエネルギーの漸増的なカスケード式放出が、作動力（Ｆａ、Ｕ）を、トリガーエレメントの１つを通じて及ぼすことが可能な力に増幅することを特徴とする、請求項１〜１０のいずれか１項に記載のトリガー機構。
【請求項１２】
トリガー機構が、薬物送達デバイスに内蔵された、１回投与量の薬物（２４２）の送達を作動させ解放するための解放機構であることを特徴とする、請求項１〜１１のいずれか１項に記載のトリガー機構を備えた薬物送達デバイス。
【請求項１３】
薬物送達デバイスが吸入器（１）であることを特徴とする、請求項１２に記載の薬物送
達デバイス。
【請求項１４】
作動エレメントが、気体流又は液体流により可動の枢動作動フラップ（１１）であることを特徴とする、請求項１３に記載の薬物送達デバイス。
【請求項１５】
薬物送達デバイスが自己注射器（２）であることを特徴とする、請求項１２に記載の薬物送達デバイス。
【請求項１６】
少なくとも１つのトリガーエレメントが、薬物（２４２）に圧力を及ぼすことが可能なピストン（２３）であることを特徴とする、請求項１２〜１５のいずれか１項に記載の薬物送達デバイス。
【請求項１７】
作動エレメントが手動で操作する作動レバー（２１）であることを特徴とする、請求項１２、１３、１５又は１６のいずれか１項に記載の薬物送達デバイス。
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
上顎（５０２）の仮想模型と下顎（５０４）の仮想模型を咬合位置で整列する方法であって、該方法が側部印象（５０６）の仮想模型の第一顔面（５２０ｂ）を上顎（５０２）の仮想模型の顔面（５２０ａ）と整合させ、側部印象（５０６）の仮想模型の第二顔面（５２１ｂ）を下顎（５０４）の仮想模型の顔面（５２１ａ）と整合させることを含み、側部印象（５０６）の仮想模型の第一顔面（５２０ｂ）の少なくとも一部が上顎（５０２）の仮想模型の顔面（５２０ａ）と同じであり、側部印象（５０６）の仮想模型の第二顔面（５２１ｂ）の少なくとも一部が下顎（５０４）の仮想模型の顔面（５２１ａ）と同じである、方法。
【請求項２】
側部印象の仮想模型が閉塞面を実質的に含まない、請求項１に記載の方法。
【請求項３】
側部印象の仮想模型が、補綴物及び隣接歯を受けるように調製された部位の模型を含む、請求項１又は２に記載の方法。
【請求項４】
部位が残存歯及び無歯領域のうちの少なくとも一つを含む、請求項３に記載の方法。
【請求項５】
補綴物がアバットメント、コーピング、歯冠、インレイ、オーバーレイ、被覆、ブリッジ、又はフレーム枠を含む、請求項３又は４に記載の方法。
【請求項６】
整列された仮想模型を使用して補綴物を設計することをさらに含む、請求項３〜５のいずれかに記載の方法。
【請求項７】
上顎の仮想模型が部位に隣接した上顎の一部の模型を含み、下顎の仮想模型が部位に隣接した下顎の一部の模型を含み、整合が上顎の前記一部における上顎の仮想模型の顔面及び下顎の前記一部における下顎の仮想模型の顔面のうちの少なくとも一つを使用することを含む、請求項３〜６のいずれかに記載の方法。
【請求項８】
側部印象の仮想模型の顔面が歯の表面及び軟組織の表面のうちの少なくとも一つを含む、請求項１〜７のいずれかに記載の方法。
【請求項９】
整合が幾何学的表面整合を含む、請求項１〜８のいずれかに記載の方法。
【請求項１０】
上顎の第一顔面の印象を含む上顎の印象を得ること、下顎の第二顔面の印象を含む下顎の印象を得ること、及び上顎の第一顔面の少なくとも一部の印象及び下顎の第二顔面の少なくとも一部の印象を含む側部印象を得ることをさらに含む、請求項１〜９のいずれかに記載の方法。
【請求項１１】
前記側部印象を形成することは、患者が咬合位置になった後に上顎の顔面及び下顎の顔面に印象材料を付与することを含む、請求項１０に記載の方法。
【請求項１２】
側部印象の仮想模型を形成するために側部印象を走査すること、上顎の仮想模型を形成するために上顎の印象を走査すること、及び下顎の仮想模型を形成するために下顎の印象を走査することをさらに含む、請求項１０又は１１に記載の方法。
【請求項１３】
側部印象を走査することは、単一走査で第一顔面及び第二顔面を走査することを含む、請求項１２に記載の方法。
【請求項１４】
コンピュータプログラムコード手段が、コンピュータ処理能力を有する電子装置によって実行されるときに請求項１〜９のいずれかに記載の方法を実施するためのコンピュータプログラムコード手段を含むコンピュータプログラム製品。
【請求項１５】
少なくとも一つの処理装置によって実施可能な命令を記憶するコンピュータ可読物理的記憶装置であって、実施されるときに請求項１〜９のいずれかに記載の方法を少なくとも一つの処理装置に行わせる命令を含む、記憶装置。
【請求項１６】
側部印象（５０６）の仮想模型の第一顔面（５２０ｂ）を上顎（５０２）の仮想模型の顔面（５２０ａ）と整合し、側部印象（５０６）の仮想模型の第二顔面（５２１ｂ）を下顎（５０４）の仮想模型の顔面（５２１ａ）と整合することによって上顎（５０２）の仮想模型と下顎（５０４）の仮想模型を咬合位置で整列するように構成された少なくとも一つのユニット（６０２４）を含む計算システム（６００ａ，６００ｂ）であって、側部印象（５０６）の仮想模型の第一顔面（５２０ｂ）の少なくとも一部が上顎（５０２）の仮想模型の顔面（５２０ａ）と同じであり、側部印象（５０６）の仮想模型の第二顔面（５２１ｂ）の少なくとも一部が下顎（５０４）の仮想模型の顔面（５２１ａ）と同じである、計算システム。
【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
調合薬（２）をスプレー（３）として小出しする小出し器具（１）であって、
前記小出し器具（１）は、多数回の別々の且つ予備計量された投与分の調合薬（２）を入れた貯蔵器具（４）を受け入れ又は該貯蔵器具（４）を有するように構成され、
前記貯蔵器具（４）は、各々が１回投与分の調合薬（２）を収容した貯蔵チャンバ（１０）を備えた多数の貯蔵部材及びそれぞれの投与分をスプレー（３）として小出しする噴霧化器具、例えばダクト（１２）又はノズルを有し、前記貯蔵部材又は噴霧化器具の出口開口部（８ａ，１５）は、共通の出口密封材によって覆われており、
前記小出し器具（１）は、１回投与分の調合薬（２）を小出しするために前記貯蔵器具（４）を通って流れるガス流（３９）を生じさせるようガス、例えば空気を加圧する手段を有し、
前記小出し器具（１）又は前記ガス加圧手段は、ガス又は空気を個々に前記貯蔵チャンバ（１０）に供給する連結要素を有し、前記連結要素は、それぞれの前記貯蔵部材を連結するためにそれぞれの前記貯蔵部材に対する連結運動をなして動くことができ、
前記小出し器具（１）は、前記連結要素に加えて、前記出口密封材（９ａ）又は各貯蔵部材のための出口開口部（８ａ，１５）を個々に開く開放器具（２３）を有し、前記開放器具（２３）は、前記出口密封材（９ａ）を剥ぎ取るように構成されている小出し器具であって、
前記貯蔵部材は環状に配置され、前記出口密封材（９ａ）は環状に配置された貯蔵部材のリングを形成し、前記出口密封材（９ａ）は前記出口開口部（８ａ、１５）の周囲に沿って延びている、
ことを特徴とする小出し器具。
【請求項２】
前記開放器具（２３）は、連結運動と独立して作動するようになっている、
請求項１記載の小出し器具。
【請求項３】
前記出口密封材（９ａ）は、好ましくはヒートシール箔である、
請求項１又は２記載の小出し器具。
【請求項４】
前記開放器具（２３）は、前記剥ぎ取られた出口密封材（９ａ）を巻き取るようになっている、
請求項１ないし３のいずれか１項に記載の小出し器具。
【請求項５】
前記開放器具（２３）は、一定の角度で前記出口密封材（９ａ）を剥ぎ取るようになっている、
請求項１ないし４のいずれか１項に記載の小出し器具。
【請求項６】
前記開放器具（２３）は、前記剥ぎ取られた出口密封材（９ａ）を前記貯蔵部材から遠ざけるよう案内する案内要素（４１）を有し、前記案内要素（４１）は、前記貯蔵部材に隣接して配置されると共に好ましくは前記貯蔵部材に押し付けられている、
請求項１ないし５のいずれか１項に記載の小出し器具。
【請求項７】
前記開放器具（２３）は、前記剥ぎ取られた出口密封材（９ａ）を巻き取るホイール（４０）を有し、前記ホイール（４０）は、前記剥ぎ取られた出口密封材（９ａ）を巻き取る可変直径及び／又はばね状アーム（４０）を有する、
請求項１ないし６のいずれか１項に記載の小出し器具。
【請求項８】
前記貯蔵部材は、キャリヤ（５）と一緒に回転可能であり、前記開放器具（２３）は、前記出口密封材（９ａ）の自由端部を保持する保持要素（４２）を有し、前記保持要素は、前記貯蔵部材又は前記キャリヤ（５）とは逆に回転可能な部品（４３）に取り付けられている、
請求項１ないし７のいずれか１項に記載の小出し器具。
【請求項９】
前記出口開口部（９ａ）の剥ぎ取りにより、前記貯蔵器具（４）又はそのキャリヤ（５）が１つの貯蔵部材から次の貯蔵部材に割り送りする、
請求項１ないし８のいずれか１項に記載の小出し器具。
【請求項１０】
前記貯蔵部材は、別々のキャビティ（７）又は入れ物（３７）に受け入れられたインサート（６）であり、各インサート（６）は、投与分の調合薬（２）を含む貯蔵チャンバ（１０）を備える、請求項１ないし９のいずれか１項に記載の小出し器具。
【請求項１１】
前記インサート（６）は、少なくとも前記出口密封材（９ａ）又は前記出口開口部（８ａ，１５）を開放したときに前記キャビティ（７）又は前記入れ物（３７）内では動くことができない、
ことを特徴とする請求項１０に記載の貯蔵器具。
【請求項１２】
前記出口密封材（９ａ）は、剥ぎ取り可能である、
請求項１ないし１１のいずれか１項に記載の貯蔵器具。
【請求項１３】
前記出口密封材（９ａ）は、環状に配置されたインサートの外周部又はリングを形成する、
請求項１ないし１２のいずれか１項に記載の貯蔵器具。
【請求項１４】
前記出口密封材（９ａ）は、多数の又は全ての出口開口部（８ａ，１５）を密封するストリップである、
請求項１ないし１３のいずれか１項に記載の貯蔵器具。
【請求項１５】
前記出口密封材（９ａ）は、主として前記入れ物（３７）にくっつけられ又は前記入れ物（３７）にのみくっつけられている、
請求項１ないし１４のいずれか１項に記載の貯蔵器具。
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
中央内腔、実質的に円筒形の外面、および前記中央内腔と前記実質的に円筒形の外面との間に延在する実質的に平らな端部区域を有する多層管を形成するようにそれ自体で巻かれたエキスパンデッド・メタルから構成された管状フィルタであって、前記エキスパンデッド・メタルが多数の開口部を含み、前記実質的に円筒形の外面と前記実質的に平らな端部区域との間の交差部により形成されたコーナーが、点荷重プロセスにより丸められていることを特徴とする管状フィルタ。
【請求項２】
集成体において、
（ａ）  エアバッグ用インフレータのための筐体であって、該筐体が、実質的に円筒形の側壁区域および端部壁区域を含む内壁を有するチャンバを備え、前記実質的に円筒形の側壁区域と前記端部壁区域との間の交差部により形成されるコーナーが丸められている筐体、および
（ｂ）  前記筐体内にある請求項１記載の管状フィルタ、
を備え、
前記管状フィルタの丸コーナーが、インフレータの装薬が前記フィルタの中央内腔内で点火されたときに前記筐体から放出される火炎の最大長さが、コーナーが丸められていないフィルタと比べて、少なくとも２５パーセント減少するように、前記チャンバの丸コーナーと係合することを特徴とする集成体。
【請求項３】
インフレータの装薬が前記フィルタの中央内腔内で点火されたときに前記筐体から放出される火炎の最大長さが、コーナーが丸められていないフィルタと比べて、少なくとも５０パーセント減少することを特徴とする請求項２記載の集成体。
【請求項４】
前記フィルタの丸コーナーの平均半径が、前記筐体のチャンバの丸コーナーの平均半径の±１０パーセントであることを特徴とする請求項２記載の集成体。
【請求項５】
実質的に円筒形の外面を有する多層管を形成するようにそれ自体で巻かれたエキスパンデッド・メタルから構成された管状フィルタであって、前記エキスパンデッド・メタルが、多数の開口部を有し、前記実質的に円筒形の外面が円周溝を含むことを特徴とする管状フィルタ。
【請求項６】
前記外面が２つの円周溝を含むことを特徴とする請求項５記載の管状フィルタ。
【請求項７】
前記溝が弓形断面を有することを特徴とする請求項５記載の管状フィルタ。
【請求項８】
前記溝が、前記エキスパンデッド・メタルがそれ自体で巻かれる前に、該エキスパンデッド・メタルに形成されることを特徴とする請求項５記載の管状フィルタ。
【請求項９】
集成体において、
（ａ）  エアバッグ用インフレータのための筐体であって、管状フィルタを受容するためのチャンバおよびガスを該チャンバから排出させるための開口の円周環を有する筐体、および
（ｂ）  前記筐体内にある請求項５記載の管状フィルタ、
を備え、
前記管状フィルタの円周溝が、前記筐体の開口の円周環と整合されていることを特徴とする集成体。
【請求項１０】
集成体において、
（ａ）  エアバッグ用インフレータのための筐体であって、該筐体が管状フィルタを受容するためのチャンバおよびガスを該チャンバから排出させるための開口の円周環を有し、前記開口の円周環が前記筐体の中央平面からずれている筐体、および
（ｂ）  前記筐体内にある請求項６記載の管状フィルタ、
を備え、
前記管状フィルタの円周溝の内の１つだけが、前記筐体の開口の円周環と整合されていることを特徴とする集成体。
【請求項１１】
多層管を形成するようにそれ自体で巻かれたエキスパンデッド・メタルから構成された管状フィルタであって、前記エキスパンデッド・メタルが、多数の開口部を有し、開口部のない区域を少なくとも１つ含み、前記区域が前記フィルタ内にガスの円周流を生じることを特徴とする管状フィルタ。
【請求項１２】
前記フィルタが内径と外径を有し、該内径から該外径までの実質的に全ての可能な流路が、前記開口部間の平均距離よりも長い距離に亘り、半径方向流および少なくともある程度の円周流の両方を含むことを特徴とする請求項１１記載の管状フィルタ。
【手続補正書】
【提出日】平成25年3月7日(2013.3.7)
【手続補正１】
【補正対象書類名】特許請求の範囲
【補正対象項目名】請求項１０
【補正方法】変更
【補正の内容】
【請求項１０】
請求項１から５までのいずれか１項記載の水性ポリマー分散液を結合剤として含有する塗料。